(57)【要約】【課題】熱湯を注いでも容器自体の温度が必要以上に上昇することなく、低コストで内容量を可変できる容器を提供する。【解決手段】下部側筒部２の周壁２２の上端部のフランジ部２３に外周側へ開口する複数のスリット２５が周方向の全域に形成され、可動筒部３の内壁から下部側筒部２の外周面に向かうと共に上下方向に沿って突出し、可動筒部３上方向への移動でスリット２５にそれぞれ嵌合して可動筒部３の内壁と袋体４との間に隙間を形成する複数のリブ３２が可動筒部３の内壁の周方向全域に形成されている。【選択図】図１
2014076823.tif 000002
【特許請求の範囲】
【請求項１】
内容量を変化させることが可能な容器（１）であって、
周壁（２２）と底壁（２１）とからなる下部側筒部（２）と、この下部側筒部（２）を内部に収容可能で該下部側筒部（２）に対して上下方向に移動可能な可動筒部（３）と、前記下部側筒部（２）に収容され、前記可動筒部（３）の前記下部側筒部（２）に対する上方向への移動と共に下部側筒部（２）に対して上方向へ拡張する袋体（４）とで形成され、
前記下部側筒部（２）の周壁（２２）の上端部にはフランジ部（２３）が形成され、このフランジ部（２３）には外周側へ開口する複数のスリット（２５）が周方向の全域に形成され、
前記可動筒部（３）の内壁（３３）から前記下部側筒部（２）の外周面に向かうと共に上下方向に沿って突出し、前記可動筒部（３）の前記下部側筒部（２）に対する上方向への移動で前記スリット（２５）にそれぞれ嵌合し、前記可動筒部（３）の内壁（３３）と前記袋体（４）との間に隙間を形成する複数のリブ（３２）が前記可動筒部（３）の内壁（３３）の周方向全域に形成されていることを特徴する容器（１）。
【請求項２】
請求項１記載の容器（１）であって、
前記可動筒部（３）の下端部には、前記可動筒部（３）が前記下部側筒部（２）に対して上方向へ移動したときに前記下部側筒部（２）の前記上端部と係合し、可動筒部（３）を前記下部側筒部（２）に対して上方向の位置に保持する連結係止部（３５）が形成されていることを特徴とする容器（１）。
【請求項３】
請求項１又は請求項２記載の容器（１）であって、
前記袋体（４）が、袋本体（４１）と、この袋本体（４１）の一側の開口部（４２）とで形成され、前記開口部（４２）の端部は前記可動筒部（３）の上端部と連結され、前記下部側筒部（２）に対する前記可動筒部（３）の上方向への移動と共に上方向に移動して拡張することを特徴とする容器（１）。
【請求項４】
請求項１乃至請求項３のいずれか１項に記載の容器（１）であって、
前記下部側筒部（２）、可動筒部（３）及び前記袋体（４）が生分解性高分子材料によって成形されていることを特徴とする容器（１）。
【発明の詳細な説明】
【技術分野】
【０００１】
本発明は、伸縮によって内容量を変化させることが可能な容器に関する。
【背景技術】
【０００２】
伸縮させることにより内容量を可変することができる従来の容器として、特許文献１に記載されたものがある。この容器は、上端部が開口された有底筒体と、上下端部が開口した増減筒体と、蓋体とによって形成されている。そして、有底筒体に対して増減筒体を着脱して容器を伸縮させることにより容器全体の内容量を可変させる。この場合、増減筒体を相互に着脱して容器を伸縮させることも可能となっている。そして蓋体を増減筒体または有底筒体に被せることにより容器の内部を密閉する。
【０００３】
また、この容器では、有底筒体における連結部分、増減筒体の連結部分及び蓋体の連結部分にねじ部が形成されており、相手部材のねじ部に対するねじ込みによって連結が行われ、ねじ込み解除によって分解されるようになっている。
【先行技術文献】
【特許文献】
【０００４】
【特許文献１】ＷＯ２００６−１００８７６号公報
【発明の概要】
【発明が解決しようとする課題】
【０００５】
特許文献１に記載されるような従来の容器では、分解された有底筒体、増減筒体、蓋体を強固に密着させた状態で連結しないと、内容物が液体の場合に液体の漏れを生じる。このため連結部分のねじの寸法精度を高くしたり、Ｏリング等のシールリングを設けた複雑な構造とする必要があるため、コストアップとなる。
【０００６】
また、熱湯等の高温の内容物を入れる場合には、内容物の熱が容器の外周まで伝わって容器自体が熱くなるため、長時間容器を持つことができないものとなる。このため、容器の内側にシートを設けることにより、内容物の漏れの防止を行うと共に容器に熱が伝わらないようにすることが考えられる。しかしながら、この場合には、内容物が液体の場合、この液体を容器内に入れると、シートが容器の内壁に密着して接触する。このため熱湯を注ぐと、シートを介して熱が容器に伝達して容器自体の温度が上昇するため、同様に長時間容器を手で持つことができない。この場合、熱湯を注いでも温度が上昇しない材料で容器を成形することが考えられるが、この場合には、高価な材料を用いることとなり、コストアップとなる。
【０００７】
そこで、本発明は、熱湯を注いでも容器自体の温度が必要以上に上昇することなく、低コストで内容量を可変できる容器を提供することを目的とする。
【課題を解決するための手段】
【０００８】
請求項１記載の発明は、内容量を変化させることが可能な容器であって、周壁と底壁とからなる下部側筒部と、この下部側筒部を内部に収容可能で該下部側筒部に対して上下方向に移動可能な可動筒部と、前記下部側筒部に収容され、前記可動筒部の前記下部側筒部に対する上方向への移動と共に下部側筒部に対して上方向へ拡張する袋体とで形成され、前記下部側筒部の周壁の上端部にはフランジ部が形成され、このフランジ部には外周側へ開口する複数のスリットが周方向の全域に形成され、前記可動筒部の内壁から前記下部側筒部の外周面に向かうと共に上下方向に沿って突出し、前記可動筒部の前記下部側筒部に対する上方向への移動で前記スリットにそれぞれ嵌合し、前記可動筒部の内壁と前記袋体との間に隙間を形成する複数のリブが前記可動筒部の内壁の周方向全域に形成されていることを特徴する。
【０００９】
請求項２記載の発明は、請求項１記載の容器であって、前記可動筒部の下端部には、前記可動筒部が前記下部側筒部に対して上方向へ移動したときに前記下部側筒部の前記上端部と係合し、可動筒部を前記下部側筒部に対して上方向の位置に保持する連結係止部が形成されていることを特徴とする。
【００１０】
請求項３記載の発明は、請求項１又は請求項２記載の容器であって、前記袋体が、袋本体と、この袋本体の一側の開口部とで形成され、前記開口部の端部は前記可動筒部の上端部と連結され、前記下部側筒部に対する前記可動筒部の上方向への移動と共に上方向に移動して拡張することを特徴とする。
【００１１】
請求項４記載の発明は、請求項１乃至請求項３のいずれか１項に記載の容器であって、前記下部側筒部、可動筒部及び前記袋体が生分解性高分子材料によって成形されていることを特徴とする。
【発明の効果】
【００１２】
請求項１記載の発明によれば、可動筒部の内壁に複数のリブを突出させ、このリブを下部側筒部のスリットに嵌合させて可動筒部の内壁と袋体との間に隙間を形成しているため、袋体内に熱湯を注いでも、可動筒部が必要以上に温度上昇することがなくなる。このため可動筒部３を手で保持して容器１を使用することができる。これにより容器の全体を温度上昇しない高価な材料で形成必要がなく、低コストとすることができる。
【００１３】
また、下部側筒部に対して可動筒部を上下方向に移動させることにより容器が伸縮するため、簡単な操作で内容量を可変させることができる。
【００１４】
請求項２記載の発明によれば、可動筒部の下端部に形成した連結係止部を形成して可動筒部を下部側筒部に対して上方向の位置に保持するため、可動筒部が下部側筒部から抜け出ることがなく、不用意に分解することのない組み付け状態を保持することができる。
【００１５】
請求項３記載の発明によれば、袋体の開口部を可動筒部の上端部に連結することにより、袋体を可動筒部及び下部側筒部に対して着脱できるため、袋体の交換を容易に行うことができる。
【００１６】
請求項４記載の発明によれば、下部側筒部、可動筒部及び袋体が生分解性高分子材料によって形成されているため、使用後に廃棄しても経時的に分解して消失する。このため、環境汚染を防止することができる。
【図面の簡単な説明】
【００１７】
【図１】本発明の一実施形態の容器の伸長状態を示す斜視図である。
【図２】容器の短縮状態を示す斜視図である。
【図３】容器の伸張状態を示す断面図である。
【図４】容器の収縮状態を示す断面図である。
【図５】容器の平面図である。
【発明を実施するための形態】
【００１８】
以下、本発明を図示する実施形態により具体的に説明する。図１〜図５は本発明の一実施形態の容器１を示す。
【００１９】
容器１は下部側筒部２と、可動筒部３と、袋体４とによって形成されている。この容器１は、下部側筒部２に対して可動筒部３を上下方向に移動させることにより全体が伸縮し、この伸縮によって内部の内容量を変化させることが可能となっている。
【００２０】
下部側筒部２は下端部の円形状の底壁２１と、底壁２１と一体に形成された周壁２２とからなる外形がほぼ円筒形状の有底筒体形状となっている。周壁２２は底壁２１の外周から立ち上がるように形成されるが、上方向に向かうにつれて径が漸増するように立ち上がっている。これにより下部側筒部２はその周壁が上方向に向けてなだらかに傾斜した逆円錐台形状となっている。下部側筒部２の上端部にはフランジ部２３が形成されている。フランジ部２３は所定幅を有して周壁２２の上端部からほぼ水平方向に延びている。
【００２１】
フランジ部２３には、複数のスリット２５が形成されている。複数のスリット２５はフランジ部２３の周方向の全域にわたるようにフランジ部２３の外周端に複数形成されている。それぞれのスリット２５は外周側に開口した状態となっている。かかる複数のスリット２５は等間隔でフランジ部２３の周方向に沿って形成されている。
【００２２】
可動筒部３は上下端部が開口された略円筒形状の筒体によって形成されている。可動筒部３は下部側筒部２を内部に収容するものであり、下部側筒部２を収容可能な寸法に設定される。
【００２３】
可動筒部３においても、上方向に向かうにつれて径が漸増することによりなだらかに傾斜した逆円錐台形状となっている。また可動筒部３の上端部も下部側筒部２と同様に、拡径方向に延びる係止フランジ部３１が形成されている。この係止フランジ部３１には、後述する袋体４の開口部４２が係止される。
【００２４】
可動筒部３には複数のリブ３２が形成されている。複数のリブ３２は下部側筒部２の外周面に向かうように可動筒部３の内壁３３から突出している。また、複数のリブ３２は可動筒部３の上端部よりも幾分低い位置から可動筒部３の内壁３３の長さ方向に沿って上下方向に延びるように突出している。複数のリブ３２は下部側筒部２のスリット２５のそれぞれ嵌合可能となるように形成されるものであり、スリット２５と同じ間隔となるように可動筒部３の内壁３３の周方向全域に形成されている。この場合、それぞれのリブ３２の上端部は、幾分、下方に傾斜したガイド端３２ａとなっており、スリット２５への嵌合が容易となっている。そして、可動筒部３のリブ３２が下部側筒部２のスリット２５に嵌合することにより、下部側筒部２のフランジ部２３が可動筒部３の内壁３３に当接する。
【００２５】
可動筒部３の下端部には連結係止部３５が形成されている。図３及び図４に示すように、連結係止部３５は可動筒部３の下端部から径方向内側に一体に屈曲したリング体３５ａによって形成されている。連結係止部３５のリング体３５ａは下部側筒部２のフランジ部２３に対応しており、下部側筒部２に対して可動筒部３が上方向に移動したとき、下部側筒部２のフランジ部２３に当接して係合する。これにより連結係止部３５は、可動筒部３が下部側筒部２からの抜け止めを行い、可動筒部３が下部側筒部２に対して上方向の位置に保持されるように作用する。
【００２６】
袋体４は袋本体４１と、袋本体４１の一側の開口部４２とによって形成されており、内部に食品等の内容物５が収容可能となっている。袋体４の全体は、可撓性フィルムによって形成されており、短縮された状態で下部側筒部２内に収容される。下部側筒部２内への収容状態で袋体４は開口部４２の端部が可動筒部３の係止フランジ部３１に連結される。係止フランジ部３１への連結は、袋体４の開口部４２にゴム輪等を取り付けるか、開口部４２及び係止フランジ部３１に相互に係脱する面ファスナー等の係止部材を取り付けることにより行うことができる。このように袋体４の開口部４２が可動筒部３の係止フランジ部３１に連結されることにより、可動筒部３が上方向に移動すると、開口部４２の端部が同方向に移動するため、袋体４が短縮された状態から上方向へ伸長して拡張する。
【００２７】
以上の下部側筒部２、可動筒部３及び袋体４はいずれも生分解性高分子材料によって形成されるものである。生分解性高分子材料は土中の微生物等の作用によって分解され、最終的に水及び二酸化炭素となる高分子である。
【００２８】
この生分解性高分子材料としては、微生物系由来、天然物系由来、化学合成系由来が存在する。この実施形態において、微生物系由来の生分解性高分子材料としては、例えば、ポリヒドロキシアルカノエート（ＰＨＡ）を選択することができる。天然物系由来の生分解性高分子材料としては、例えば、エステル化澱粉、酢酸セルロース、キトサン／セルロース／澱粉共重合体、澱粉／化学合成系生分解高分子共重合体のいずれかを選択することができる。化学合成系由来の生分解性高分子材料としては、例えば、ポリ乳酸、ポリカプロラクトン、ポリブチレンサクシネート、ポリエチレンサクシネート、ポリグルコール酸、ポリビニルアルコール、ポリ乳酸／ポリブチレンサクシネート共重合体、ポリブチレンサクシネート／アジパート共重合体、ポリブチレンサクシネート／カーボネート共重合体、ポリエチレンテレフタレート／サクシネート共重合体、ポリブチレンアジパート／テレフタレート共重合体、ポリカプロラクトン／ブチレンサクシネート共重合体のいずれかを選択することができる。
【００２９】
このような生分解性高分子材料を用いることにより、容器１を使用後に廃棄しても、下部側筒部２、可動筒部３、袋体４のいずれもが経時的に分解して消失するため、環境汚染を防止することができる。
【００３０】
次に、この実施形態の容器１の使用態様を説明する。
【００３１】
図２は可動筒部３内に下部側筒部２を収容した状態を示し、容器１の全体は短縮状態となっている。この状態で内容物５が封入された袋体４を容器１内に差し込み、その開口部４２を可動筒部３の係止フランジ部３１に連結する。その後、下部側筒部２に対して可動筒部３を上方向に移動させることにより、容器１を伸長させる。
【００３２】
可動筒部３の上方向の移動の際には、可動筒部３の内壁３３から突出しているリブ３２が下部側筒部２のフランジ部２３に形成されているスリット２５に嵌合し、この嵌合状態でリブ３２が可動筒部３と共に上方向に移動する。
【００３３】
図１は可動筒部３が上方向に移動した状態を示し、可動筒部３の連結係止部３５が下部側筒部２のフランジ部２３に当接して係合する。これにより可動筒部３が下部側筒部２から抜け止めされて上方向の位置に保持される。リブ３２は可動筒部３と共に上方向に移動して、そのほぼ全長が下部側筒部２のフランジ部２３よりも高い位置となり、この位置で可動筒部３の内壁からの突出状態を保持する。かかる可動筒部３の上方向への移動に伴い、袋体４は上方向へ拡張する。
【００３４】
袋体４が伸長した図１の状態で、袋体４内の内容物５を加熱するために、熱湯を袋体４内に投入する。熱湯は袋体４内に充満し、これにより袋体４は下部側筒部２及び可動筒部３の内壁に向かって膨張する。袋体４の膨張に際し、可動筒部３側には複数のリブ３２が内壁から突出しているため、袋体４はリブ３２でそれ以上の膨張が規制される。このため可動筒部３の内壁と袋体４との間に隙間（空気層）が形成され、袋体４内の熱湯の熱が可動筒部３の外壁に直接伝達することが抑制される。これにより可動筒部３が必要以上に温度上昇することがなく、可動筒部３を手で持つことが可能となり、可動筒部３を手で保持した状態で袋体４内の内容物５を食することができる。
【００３５】
その後においては、袋体４を容器１内から取り出し、下部側筒部２に対して可動筒部３を下方向に移動させる。これにより容器１の全体が短縮した状態となるため、嵩張りが少なくなり、携帯に便利となる。
【００３６】
このような実施形態の容器１によれば、可動筒部３の内壁に複数のリブ３２を突出させることにより、可動筒部３の内壁と袋体４との間に隙間（空気層）を形成しているため、袋体４内に熱湯を注いでも、可動筒部３が必要以上に温度上昇することがなくなる。このため可動筒部３を手で保持して容器１を使用することができる。これにより容器１の全体を温度上昇しない高価な材料で形成必要がなく、低コストとすることができる。
【００３７】
また、下部側筒部２に対して可動筒部３を上方向に移動させることにより容器１が伸長すると共に、可動筒部３を下方向に移動させることにより容器１が短縮する。このため簡単な操作で内容量を可変させることが可能な容器１とすることができる。
【００３８】
また、可動筒部３の下端部に連結係止部３５を形成して可動筒部３の上方向への移動の際に可動筒部３を下部側筒部２に対して上方向の位置に保持するため、可動筒部３が下部側筒部２から抜け出ることがなく、不用意に分解することがなく組み付け状態を良好に保持することができる。
【００３９】
また、袋体４は開口部４２を可動筒部３の係止フランジ部３１に連結することにより、袋体４を可動筒部３及び下部側筒部２に対して着脱できるため、袋体４の交換を容易に行うことができる。
【００４０】
また、下部側筒部２、可動筒部３及び袋体４が生分解性高分子材料によって形成されているため、使用後に廃棄しても経時的に分解して消失する。このため、環境汚染を防止することができる。
【００４１】
本実施形態の容器は、内容物としてドライフーズを入れた非常食として用いることができ、この場合、内容物を消費した後に、単なる容器として用いることができる。また、容器として用いる場合、袋体４を予め複数毎用意しておき袋体４を交換することで、容器を洗うことなく繰り返し容器として使用することができる。
【００４２】
また、容器内にドライフーズを入れて運搬する際にも、小型で軽量なので、携帯食として用いることができ、この場合にも袋体４を交換すれば単なる容器として使用することができる。そして、上記したように、下部側筒部２、可動筒部３、袋体４を生分解性高分子材料によって形成することで、使用後に廃棄しても土中で経時的に分解するので、環境汚染を招くことがない。
【００４３】
このように、本実施形態の容器は、持ち運びするときは小型であり、使用時には可動筒部３を引き上げて内容量を増加することができ、加えて袋体４を交換すれば容器として繰り返し用いることができ、さらには使用後にはそのまま破棄してもごみとして残ることがないので、例えば、自衛隊員の携帯食料として、キャンプの際の食料として、災害時のボランティアの人たちの食料として、あるいは被災者の食料として用いた場合に、使用勝手が良く、環境を損なうことなく、利便性に富んでいるという優れた効果を発揮する。
【００４４】
本発明は以上の実施形態に限定されることなく種々変形が可能である。例えば、下部側筒部２及び可動筒部３を六角形や八角形等の多角形の立体形状としても良い。また、可動筒部３の上端部に蓋体を着脱自在に設けて容器１の内部を閉鎖するようにしても良い。
【符号の説明】
【００４５】
１  容器
２  下部側筒部
３  可動筒部
４  袋体
２１  底壁
２２  周壁
２３  フランジ部
２５  スリット
３１  係止フランジ部
３２  リブ
３３  内壁
３５  連結係止部
４１  袋本体
４２  開口部
【図１】
2014076823.tif 000003
【図２】
2014076823.tif 000004
【図３】
2014076823.tif 000005
【図４】
2014076823.tif 000006
【図５】
2014076823.tif 000007